(57)【要約】      （修正有）【課題】収納部に対する引出部の係止位置を自在に決定することが可能な引出装置を提供する。【解決手段】収納部側アーム５に、引出部側アーム４を保持する弾性部材であるＶ字型に屈曲した板バネが固定されている。この板バネは、Ｖ字に屈曲させた頂点部分とこれを固定したアームとにより、回動する引出部側アームを挟むよう形成されている。このＶ字型に屈曲させた頂点部分である挟持部が、引出部側アームとの接触部分であり、引出部側アームと収納部側アームが折り畳まれた状態から両アームを折り曲げて引き伸ばす場合には、この板バネの挟持部が引出部側アームを付勢する。【選択図】図２
2008060246.tif 000002
【特許請求の範囲】
【請求項１】
収納部とこれに対して引き出し自在に支持された引出部と、
基端が前記収納部に回動自在に取り付けられた収納部側アームと、
基端が前記引出部に回動自在に取り付けられた引出部側アームとを備え、
前記収納部側アームと引出部側アームの先端は回動自在に連結され、引出部の収納状態と引出状態のいずれか一方において、前記収納部側アームと引出部側アームとが２つ折りに折り曲がった角度となり、引出部の収納状態と引出状態の他方において、前記収納部側アームと引出部側アームとが引き延ばされた角度となるように構成され、
前記収納部側アームと引出部側アームのいずれか一方のアームには、他方のアームと弾力的に接触し、両アームの角度を保持する弾性部材が設けられていることを特徴とする引出装置。
【請求項２】
前記収納部側アームと引出部側アームとが、平板状の部材から構成され、
この平板状部材からなる一方のアームの表面に前記弾性部材である板バネの基部が重ね合わされるように固定され、
前記板バネの先端が同じく平板状部材からなる他方のアームの表面に弾力的に接触していることを特徴とする請求項１に記載の引出装置。
【請求項３】
前記板バネの先端部が、Ｖ字型に屈曲しており、そのＶ字型の頂点部分が他方のアーム表面との接触部であり、Ｖ字型の先端傾斜部が板バネとそれを固定した一方のアームとの間に他方のアームが入り込む際のガイド部となっていることを特徴とする請求項２に記載の引出装置。
【請求項４】
前記収納部側アームと引出部側アームとが、その両側辺部に立ち上がった縁部を有する断面コ字型の部材によって構成され、このコ字型の部材の内側がケーブルの配線部となっていることを特徴とする請求項１〜請求項３のいずれか１項に記載の引出装置。
【請求項５】
前記断面コ字型の収納部側アームと引出部側アームにおいて、その両側辺部に立ち上がった縁部の少なくとも一方に、縁部が他の部分よりも低くなった切欠部が形成され、この切欠部が前記配線部内のケーブルとアームとを結束するバンドの係止部となっていることを特徴とする請求項４に記載の引出装置。
【発明の詳細な説明】
【技術分野】
【０００１】
本発明は、例えば、パソコンラックや音声調整卓などのキーボードを備えた電子機器を載置したり組み込んだ装置において、キーボードを装置内に引き出し自在に収納することを可能とした引出装置に関する。
【背景技術】
【０００２】
パソコンラックや音声調整卓などにおいては、通常は、キーボードを使用することなく、テーブル上のスイッチを操作したり、テーブル上で読み書きを行い、調整卓のデータ設定時やラック上のパソコンを操作する場合には、テーブル内に収納しておいたキーボードを引き出して操作するものが知られている。この種の装置は、キーボードが、その不使用時に装置内に収納することができるので、他の作業の邪魔にならず、テーブル表面を有効に利用できる利点がある。
【０００３】
このような引出式のキーボードを組み込んだ装置としては、従来から特許文献１に示すようなものが知られている。すなわち、この装置は、装置本体である収納部（パソコンラックや音声調整卓の本体）と、キーボードを収納する引出部との間に「く字形」に屈曲する２本のアームを配置したものである。そして、このアームに沿ってキーボードのケーブルを配設することで、引出部の引出あるいは押し込みの際にアームと共にケーブルが一緒に移動することで、引出部と収納部との間でケーブルが絡んだり、挟まったりすることを防止している。
【特許文献１】特開２０００−６８６６４号公報
【発明の開示】
【発明が解決しようとする課題】
【０００４】
しかるに、前記のような特許文献１に記載の従来技術は、単に２本のアームによって収納部と引出部とを接続しただけのものであり、収納部から引き出した引出部の位置決めが行えず、キーボードを操作する場合に引出部が使用者のキーボードを叩く力で移動したり、がた付いたりして、不安定であった。
【０００５】
これを改善するために、引出部を一番手前に引き出した場合に、引出部と収納部とをロックするラッチなどの機構を設けることも考えられるが、その場合には、引出部のロック位置が一番手前に決定されてしまうので、キーボードの大きさや使用者の体格などによって引出部を収納部に対して希望する位置で係止することができない欠点があった。
【０００６】
また、特許文献１の装置は、ケーブルをアームの外側に結びつけるようにして固定していたため、ケーブルがアーム外部に露出し、収納部や引出部に引っかかったり、挟まれて、破損や断線するおそれもあった。
【０００７】
なお、このような問題点は、引出部にキーボードを収納した装置に限られるものではなく、収納部と引出部とを屈曲する２本のアームで連結し、引出部内に収納部側と接続するケーブル（コードやその他の配線を含む）を配置した引出装置全般に言える問題点であった。
【０００８】
本発明は、上記のような従来技術の問題点を解決するために提案されたもので、収納部に対する引出部の係止位置を自在に決定することができ、また、引出部と収納部との間に配線されたケーブルの処理が容易な引出装置を提供することを目的とする。
【課題を解決するための手段】
【０００９】
請求項１の発明は、収納部とこれに対して引き出し自在に支持された引出部と、基端が前記収納部に回動自在に取り付けられた収納部側アームと、基端が前記引出部に回動自在に取り付けられた引出部側アームとを備え、前記収納部側アームと引出部側アームの先端は回動自在に連結され、引出部の収納状態と引出状態のいずれか一方において、前記収納部側アームと引出部側アームとが２つ折りに折り曲がった角度となり、引出部の収納状態と引出状態の他方において、前記収納部側アームと引出部側アームとが引き延ばされた角度となるように構成され、前記収納部側アームと引出部側アームのいずれか一方のアームには、他方のアームと弾力的に接触し、両アームの角度を保持する弾性部材が設けられていることを特徴とする。
【００１０】
以上のような態様では、前記収納部側アームと引出部側アームとが２つ折りに折り曲がった状態において、いずれか一方のアームに設けられた弾性部材という簡易な方法により、他方のアームを保持することができる。また、収納部側アームと引出部側アームは回動自在に連結しており、両アームが折り曲がった角度をとる状態、すなわち両アームが完全に折り畳まれない場合においても一方のアームに固定した弾性部材により他方のアームを保持することが可能である。そのため、引き伸ばされた両アームを折り曲げることが、収納部にしまわれた引出部を引き出す状態に対応する場合には、引出部の引き出し位置を完全に手前に引き出さなくても引出部を自在に係止することが可能となり、引出部が勝手に閉じる方向に戻ることもない。
【００１１】
一方で、前記収納部側アームと引出部側アームとが引き延ばされた状態においても、いずれか一方のアームに設けられた弾性部材により、他方のアームを保持することができる。また、収納部側アームと引出部側アームは回動自在に連結しており、両アームが引き延ばされた角度をとる状態、すなわち両アームが完全に引き伸ばされていない場合においても一方のアームに固定した弾性部材により他方のアームを保持することが可能である。すなわち、折り畳まれた両アームを引き伸ばすことが、収納部にしまわれた引出部を引き出す状態に対応する場合には、引出部の引き出し位置を完全に手前に引き出さなくても引出部を自在に係止することが可能となる。
【００１２】
なお、収納部側アームと引出部側アームが２つ折りに折曲がった角度と引き伸ばされた角度とは、２つ折に折り曲がった状態と折れ曲がったものを引き伸ばす状態とを示す相対的なものである。
【００１３】
請求項２の発明は、請求項１に記載の引出装置において、前記収納部側アームと引出部側アームとが、平板状の部材から構成され、この平板状部材からなる一方のアームの表面に前記弾性部材である板バネの基部が重ね合わされるように固定され、前記板バネの先端が同じく平板状部材からなる他方のアームの表面に弾力的に接触していることを特徴とする。
【００１４】
以上のような態様では、収納部側アームと引出部側アームは、平板状の部材から構成されるので回動自在に連結することが可能である。なお、いずれか一方のアームに固定する弾性部材を板バネに限定することで、他方のアームに対して弾力的に接触がしやすく、また挟み込むことも可能となる。これにより、引出部の位置を自在に決定することが可能な引出装置を提供することができる。
【００１５】
請求項３の発明は、請求項２に記載の引出装置において、前記板バネの先端部が、Ｖ字型に屈曲しており、そのＶ字型の頂点部分が他方のアーム表面との接触部であり、Ｖ字型の先端傾斜部が板バネとそれを固定した一方のアームとの間に他方のアームが入り込む際のガイド部となっていることを特徴とする。
【００１６】
以上のような態様では、板バネの先端部がＶ字型に屈曲しているので、その頂点部分に応力が集中し、接触するアームを安定して保持することが可能となる。また、Ｖ字型の先端が上向きに屈曲した傾斜部となっているので、ガイド部として板バネとの間に入り込むアームを誘導し、容易に当該アームを挟み込むことができる。これにより、回動するアームを自由な位置で保持することがでいきる。
【００１７】
請求項４の発明は、請求項１〜請求項３のいずれか１項に記載の引出装置において、前記収納部側アームと引出部側アームとが、その両側辺部に立ち上がった縁部を有する断面コ字型の部材によって構成され、このコ字型の部材の内側がケーブルの配線部となっていることを特徴とする。
【００１８】
以上のような態様では、収納部側アームと引出部側アームとが、両側辺部に立ち上がった縁部を有する断面コ字型の部材によって構成されているので、アームの内側にケーブルを配線することが可能であり、また縁部により安定したケーブルの支持が可能となる。
【００１９】
請求項５の発明は、請求項４に記載の引出装置において、前記断面コ字型の収納部側アームと引出部側アームにおいて、その両側辺部に立ち上がった縁部の少なくとも一方に、縁部が他の部分よりも低くなった切欠部が形成され、この切欠部が前記配線部内のケーブルとアームとを結束するバンドの係止部となっていることを特徴とする。
【００２０】
以上のような態様では、アームの両側辺部に立ち上がった縁部の少なくとも一方に、他の部分よりも低くなった切欠部が形成されているので、この切欠部にケーブルを結束するバンドを係止することができ、強固にケーブルをアーム上に固定することが可能となる。これにより、ケーブルの破損や断線等の問題が生じることもない。
【発明の効果】
【００２１】
以上のような本発明によれば、引出部が収納部から自由な位置に引き出された状態においても、いずれか一方のアームに固定した弾性部材により、他方のアームを保持することができるので、引き出し位置を自在に決定することが可能な引出装置を提供することができる。また、アームを保持する弾性部材としてＶ字型に屈曲した板バネを使用しているので、Ｖ字型の頂点部分に応力が集中し、安定性の高い引出装置を提供することが可能である。
【００２２】
なお、アームが断面コ字型の部材により構成され、また縁部に切欠部が形成されているので、ケーブルを縁部で囲まれたアーム上に安定した状態で配線することができ、さらに切欠部にバンドを係止させることにより、ケーブルを結束することも可能である。そのため、引出部の動作によるケーブルの挟み込みを防止することができ、ケーブルの破損や断線等の問題も生じることがない。
【発明を実施するための最良の形態】
【００２３】
[１．構成]
以下、本発明である引出アーム部と、この引出アーム部が接続される引出部と収納部とを有する引出装置についての実施形態における構成を、図１〜５に基づいて具体的に説明する。
【００２４】
全体構成は、図１のように、電子機器が搭載する引出部１と、その引出部１が収納される収納部２と、引出部１と収納部２との間に設置された引出アーム部３の一端が引出部１に、他端が収納部２に回動自在に接続されている。また、電子機器の引出部１背面から導出されたケーブル７（図示してない）が、ケーブルホルダ９により引出アーム部３上に支持されている。
【００２５】
引出部１は、キーボード等の電子機器を搭載するもので、スライド方式の収納装置と同様に両側面にレール１ａを備え、収納部２は、電子機器を搭載した引出部１を収納するものであり、引出部１のレール１ａに対応する位置にスライドするためのレール１ｂが設置されている。また、この引出部１の背面からは、電子機器のケーブル７が後述する引出アーム部３上に導出されている。
【００２６】
そして、この引出部１と収納部２との間に設置する引出アーム部３は、引出部側アーム４と収納部側アーム５と、引出部側アーム４と収納部側アーム５とを連結するピン６とから構成される（図２）。この引出部側アーム４のピン６側とは逆の端部が、引出部１の背面に回動自在に取り付けられ、また、収納部側アーム５のピン６側とは逆の端部が、ここでは収納部２の引出部１背面に対向する奥側の面に回動自在に取り付けられている。またこの両アームは、この引出部側アーム４を上面に、収納部側アーム５を下面とした重なった状態でピン６により連結され、回動可能に取り付けられている。
【００２７】
この引出部側アーム４は、アーム部４ａと収納部側アーム５と連結する連結部４ｂから構成され、収納部側アーム５は、アーム部５ａと引出部側アーム４と連結する連結部５ｂから構成される。なお、このアーム部４ａ，５ａは、引出部１に搭載された電子機器のケーブル７の配線部の役目を果たすので、平板状の底面の両側面に立ち上がった縁部４ｃ，５ｃを有する断面コ字型の部材によって構成されている。また、連結部４ｂ，５ｂは、連結部４ｂが上面、連結部５ｂが下面となるようにピン６により重なった状態で回動自在に取り付けられるので、連結部４ｂの裏面と連結部５ｂの表面に、例えば摩擦の少ない両側面に縁部を有しない平板部材が用いられている。
【００２８】
この各アーム部４ａ，５ａに設けられた縁部４ｃ，５ｃには、後述するケーブルホルダ９を係止するための他の部分よりも低くなった切欠部（例えば縁部に２つ）が設けられいる。この切欠部に係止したケーブルホルダ９が、アーム上に配線されたケーブル７を結束することによりケーブル７はアーム上に固定されるので、引出部１を収納部２に収納する際にもケーブル７が挟まれて破損や断線等することがない。
【００２９】
なお、収納部側アーム５のアーム部５ａのピン６側端部表面には、所定の形状の弾性部材である板バネ８が連結部５ｂにかかるように皿リベットなどで固定されている。この設置した板バネ８により、折り畳まれた引出部側アーム４と収納部側アーム５とを引き伸ばす際に、回動する引出部側アーム４の連結部４ｂを弾力的に挟み込む。
【００３０】
そして、回動する連結部４ｂを挟むためにアーム部５ａのピン６側の端部に固定された板バネ８は、図３のように、この板バネ８の連結部５ｂ側の端部をＶ字型に屈曲させ、Ｖ字に屈曲させた頂点部分（挟持部と呼ぶ）と連結部５ｂとにより回動する連結部４ｂを挟むよう形成されている。このＶ字型に屈曲させた頂点部分である挟持部が、引出部側アーム４の連結部４ｂとの接触部分であり、例えば、引出部側アーム４と収納部側アーム５が折り畳まれた状態から両アームをピン６を軸として折り曲げて引き伸ばされる場合には、この板バネ８端部の挟持部と連結部５ｂとにより、回動する連結部４ｂを挟み込むことになる。
【００３１】
なお、板バネ８の端部がＶ字型に屈曲しているのは、Ｖ字型にすることで頂点部分である挟持部に応力が集中し、挟んだ連結部４ｂに安定した一定の負荷を掛けることができるからである。また、Ｖ字型にすることにより端部の先端が上向きに反り上がった傾斜を有しているので、この先端傾斜部をガイド部として、回動する連結部４ｂが板バネ８とそれを固定した連結部５ｂに挟み込まれていく。
【００３２】
つまり、引出部側アーム４の連結部４ｂが板バネ８の挟持部と収納部側アーム５の連結部５ｂとの間に挟まれることで、連結部４ｂ面に負荷が掛かるため、引出部１が自由の引き出し位置に引き出された場合であっても、連結部４ｂを通じて各アームは安定した状態が保持される。これにより、引き出された引出部１が勝手に閉じる方向に動くことはない。
【００３３】
なお、この引出部１を収納部２に収納する場合、すなわち、引き伸ばされた引出部側アーム４と収納部側アーム５がピン６を軸として折り曲がる場合には、引出部側アーム４の連結部４ｂは、板バネ８の挟持部と連結部５ｂとにより挟まれた状態から徐々に引き抜かれていく。そして、完全に引出部１が収納部２に収納されると、板バネ８の挟持部と連結部５ｂとにより挟まれていた連結部４ｂの全面が引き抜かれ、板バネ８端部の先端傾斜部に連結部４ｂの外周部が接することにより、引出部側アーム４と収納部側アーム５が固定される。これにより、安定した収納状態が保たれる。
【００３４】
ケーブルホルダ９は、電子機器を搭載した引出部１から導出されるケーブル７をアーム上にホールドするために、プラスチックや弾性体等から構成されるバンドである。このケーブルホルダ９は、アーム部４ｂ，５ｂの縁部４ｃ，５ｃに設けられた切欠部に係止され、アームに沿って配線されたケーブル７を結束する。なお、本実施形態では、４つのケーブルホルダ９が設置されているが、これに限定するものでなく、ケーブルホルダ９の数を増減させてケーブル７を支持するものであってもよい。
【００３５】
[２．作用]
前記のような構成を有する本実施形態の引き出しアーム装置３の作用は次の通りである。ここで、引出部１にはキーボード等の電子機器が搭載されており、引出部１の背面から導出されたケーブル７は、引出部側アーム４及び収納部側アーム５の縁部に係止させたケーブルホルダ９によって結束されているものとする。また、引出部側アーム４の一端は引出部１の背面に回動自在に取り付けられ、他端がピン６により収納部側アーム５の一端と連結されている。そして、収納部側アーム５のピン側とは逆側の他端は、収納部２の引出部１が収納される奥側の面に回動自在に取り付けられていることを前提とする。
【００３６】
[２．１．引出時]
引出部１を収納部２から引き出す場合を考えると、まず、引出部１を収納部２から引き出すと、折り畳まれていた引出部側アーム４と収納部側アーム５とがピン６を軸として折れ曲がり、直線状に並ぶように引き伸ばされる。これに対応して、収納部側アーム５のアーム部５ｂ端部に固定した板バネ８の先端傾斜部は、引出部側アーム４の連結部４ｂの外周と接するように固定されていた状態から、ガイド部として連結部４ｂを徐々に挟み込み、挟持部から連結部４ｂ面に負荷を掛けていく。
【００３７】
ここで、ユーザが引出部１を完全に引き出す前に引き出し位置を決定すると、両アームが引き延ばされた角度をとる当該位置において、引出部側アーム４の連結部４ｂが板バネ８の挟持部と収納部側アーム５の連結部５ｂとにより挟まれることで係止する。これにより、自在に決定した引出位置においても、安定した状態で引出部１を固定することができる。よって、引出部１を収納部２から引き出しても引出部１が閉じる方向に戻ることがない、耐振動性の高い引出装置を提供することが可能である。
【００３８】
また、引出部１を完全に手前に引き出した状態、すなわち引出部側アーム４と収納部側アーム５とが直線状に並ぶように引き伸ばされた状態でも、もちろん板バネ８の挟持部と収納部側アーム５の連結部５ｂとが引出部側アーム４の連結部４ｂを挟むことで、引出部１を係止する（図４）。
【００３９】
なお、アーム部の縁部４ｃ，５ｃの切欠部を通じてケーブルホルダ９で結束している電子機器のケーブル７は、引出部側アーム４と収納部側アーム５と同様に折り畳んで収納されていた状態から、第１，２のアームがピン６を軸として引き伸ばされることにより、アームに沿って引き伸ばされる。これにより、電子機器のケーブル７が絡まることもなく、破損や断線等の問題も回避することが可能となる。
【００４０】
[２．２．収納時]
引き出された引出部１を収納部２にしまう場合を考えると、まず、引出部１を収納部２に押し込むのだが、これは、引き伸ばされた引出部側アーム４及び収納部側アーム５がピン６を軸として徐々に折れ曲がり、両アームが折り畳まれていくことを意味する。これに対応して、板バネ８の挟持部と収納部側アームの連結部５ｂにより挟まれた引出部側アーム４の連結部４ｂが、板バネ８と連結部５ｂとの間から引き抜かれていく。
【００４１】
ここで、ユーザが引出部１を完全に収納する前に収納位置を決定すると、両アームが折れ曲がった角度をとる当該位置において、引出部側アーム４の連結部４ｂが板バネ８の挟持部と収納部側アーム５の連結部５ｂとにより挟まれることで係止する。そのため、自在に決定した収納位置においても、安定した状態で引出部１を固定することができる。よって、耐振動性の高い引出装置を提供することが可能である。
【００４２】
また、両アームがピン６を軸に完全に折り畳まれると、挟まれていた連結部４ｂが板バネ８と収納部側アームの連結部５ｂから完全に引き抜かれ、板バネ８の上向きに反り上がった先端傾斜部に連結部４ｂの外周が接することで、引出部側アーム４と収納部側アーム５が固定される（図５）。これにより、引出部１が収納部２から勝手に引き出されることもなく、安定した収納状態を保持することができる。
【００４３】
なお、アーム上にケーブルホルダ９で支持された電子機器のケーブル７は、引出部側アーム４と収納部側アーム５と同様に引き伸ばされていた状態から、両アームがピン６を軸として折れ曲がることにより、アームに沿って折り畳まれる状態となる。すなわち、引出部１が収納部２に押し込まれても、引出部１から導出されるケーブル７は、アーム部の縁部４ｃ，５ｃの切欠部に係止するケーブルホルダ９により、アームに結束させて固定されているので、引出部１と収納部２に挟まれることなく、アームと同様に折り畳まれる。これにより、引出部１に搭載された電子機器のケーブル７に関して破損や断線等するといった問題が生じることはない。
【００４４】
以上のような本実施形態によれば、引出部が収納部から自由な位置に引き出された状態においても、いずれか一方のアームに固定した弾性部材により、他方のアームを保持することができるので、引き出し位置を自在に決定することが可能な引出装置を提供することができる。また、アームを保持する弾性部材としてＶ字型に屈曲した板バネを使用しているので、Ｖ字型の頂点部分に応力が集中し、安定性の高い引出装置を提供することが可能である。
【００４５】
なお、アームが断面コ字型の部材により構成され、また縁部に切欠部が形成されているので、ケーブルを縁部で囲まれたアーム上に安定した状態で配線することができ、さらに切欠部にバンドを係止させることにより、ケーブルを結束することも可能である。そのため、引出部の動作によるケーブルの挟み込みを防止することができ、ケーブルの破損や断線等の問題も生じることがない。
【００４６】
[３．他の実施形態]
[ａ]本発明は、前記のような実施形態において、板バネ８と収納部側アーム５の連結部５ｂとに挟まれる引出部側アーム４の連結部４ｂの表面形状に関して、特に限定していなかったが、以下のような表面構造を有する連結部４ｂを用いた実施形態も包含する。
【００４７】
この連結部４ｂの表面には、上述したようにアームが動作することで板バネ８のＶ字型の頂点部分である挟持部から負荷が掛かるので、挟持部が接触するこの表面に、挟持部が係止するための凹部などの段差を形成した場合を考える。この構成では、回動する連結部４ｂの当該段差に収納部側アーム５に固定した板バネ８の挟持部が係止するので、この段差をユーザが希望する引出部１の引き出し位置に対応させて形成することで引出位置の調整が容易となり、所望の引き出し位置においても安定して支持することが可能となる。
【００４８】
[ｂ]また、前記の実施形態では、引出部１の収納部２への収納時において、収納部側アーム５のアーム部５ａ端部に固定された板バネ８端部の上向きに反り上がった先端傾斜部に、連結部４ｂの外周が接するような態様で両アームが固定されていた。しかしながら、本発明は、この実施形態に限定することなく、引出部１の収納部２への収納時においても板バネ８の挟持部と連結部５ｂとにより、連結部４ｂを挟んで負荷を常時掛け続ける実施形態も包含する。
【００４９】
すなわち、前記の実施形態において、引出部１の収納時には、連結部４ｂが板バネ８と連結部５ｂとの間から引き抜かれていたのに対し、本実施形態によれば、引出部１の収納時、つまり両アームが折り畳まれた状況下においても板バネ８の挟持部と連結部５ｂが連結部４ｂを挟んで負荷を掛け続けていることを意味する。そのため、収納時においても板バネ８が引出部側アーム４の連結部４ｂを挟むといった前記実施形態とは異なる方法で、折り畳まれた両アームを固定することが可能である。
【００５０】
[ｃ]また、前記の実施形態に用いた板バネ８は、この板バネ８の端部をＶ字型に屈曲させ、挟持部と連結部５ｂとにより回動する連結部４ｂを挟むよう構成されているが、これに限定することなく、単に板バネ８端部を上向き反り上げた形状を有する構成も包含する。したがって、前記実施形態では、Ｖ字型に屈曲させた板バネ８の頂点部分である挟持部により連結部４ｂを固定していたのに対し、この構成によれば、反り上げた端部から連結部４ｂを挟み込み、板バネ８の挟み込み面を利用することにより連結部４ｂを固定することが可能となる。
【００５１】
[ｄ]また、本発明は、弾性部材である板バネ８が収納部側アーム５のアーム部５ａに固定され、引出部側アーム４の連結部４ｂを挟むような実施形態に限定するものではなく、この板バネ８を引出部側アーム４に固定し、収納部側アーム５の連結５ｂを挟むように構成した実施形態も包含する。
【００５２】
[ｅ]また、前記の実施形態によれば、収納部側アーム５の一端は、収納部２の引出部１が収納される奥側の面に回動自在に取り付けられているが、本発明は収納部２の引出部１の引出口に回動自在に取り付けた構成を有する実施形態も包含する。すなわち、収納部側アーム５の一端が収納部２の引出口に設置され、連結する引出側アームの４の一端が引出部１の背面に取り付けられているので、収納時には、両アームが引き伸ばされ、引き出し時には、両アームが折り畳まれることになる。
【００５３】
具体的には、引出部１を収納部２から引き出す場合を考えると、まず、引出部１を収納部２から引き出すと、引き伸ばされていた引出部側アーム４と収納部側アーム５とがピン６を軸として折れ曲がっていく。これに対応して、板バネ８の挟持部と収納部側アーム５の連結部５ｂにより挟まれた引出部側アーム４の連結部４ｂが、板バネ８と連結部５ｂとの間から引き抜かれていく。
【００５４】
ここで、ユーザが引出部１を完全に引き出す前に引き出し位置を決定すると、両アームが折れ曲がった角度をとる当該位置において、引出部側アーム４の連結部４ｂが板バネ８の挟持部と収納部側アーム５の連結部５ｂとにより挟まれることで係止する。これにより、自在に決定した引出位置においても、安定した状態で引出部１を固定することができる。よって、引出部１を収納部２から引き出しても引出部１が閉じる方向に戻ることがない、耐振動性の高い引出装置を提供することが可能である。
【００５５】
また、両アームがピン６を軸に完全に折り畳まれると、挟まれていた連結部４ｂが板バネ８と収納部側アームの連結部５ｂから完全に引き抜かれ、板バネ８の上向きに反り上がった先端傾斜部に連結部４ｂの外周が接することで、引出部側アーム４と収納部側アーム５が固定される。そのため、完全に手前に引き出された場合でも、引出部が閉じる方向に戻ることのない安定した状態を保つことが可能である。
【００５６】
一方、引き出された引出部１を収納部２にしまう場合を考えると、まず、引出部１を収納部２に押し込むのだが、これは、折り畳まれた引出部側アーム４及び収納部側アーム５がピン６を軸として折れ曲がり、徐々に引き伸ばされていくことを意味する。ここで、収納部側アーム５のアーム部５ｂ端部に固定した板バネ８の先端傾斜部は、引出部側アーム４の連結部４ｂの外周と接するように固定されていた状態から、ガイド部として連結部４ｂを徐々に挟み込み、挟持部から連結部４ｂ面に負荷を掛けていく。
【００５７】
なお、ユーザが引出部１を完全に引き出す前に引き出し位置を決定すると、両アームが引き延ばされた角度をとる当該位置において、引出部側アーム４の連結部４ｂが板バネ８の挟持部と収納部側アーム５の連結部５ｂとにより挟まれることで係止する。そのため、自在に決定した収納位置においても、安定した状態で引出部１を固定することができる。よって、耐振動性の高い引出装置を提供することが可能である。
【００５８】
また、引出部１を完全に収納した状態、すなわち引出部側アーム４と収納部側アーム５とが直線状に並ぶように引き伸ばされた状態でも、もちろん板バネ８の挟持部と収納部側アーム５の連結部５ｂとが引出部側アーム４の連結部４ｂを挟むことで、引出部１を係止する。これにより、引出部１が収納部２から勝手に引き出されることもなく、安定した収納状態を保持することができる。
【図面の簡単な説明】
【００５９】
【図１】本発明の全体構成を示す平面図。
【図２】引出アーム部を示す平面図。
【図３】引出アーム部を示す側面図。
【図４】本発明の引出時を示す平面図。
【図５】本発明の収納時を示す平面図。
【符号の説明】
【００６０】
１…引出部
１ａ…引出部レール
２…収納部
２ａ…収納部レール
３…引出アーム部
４…引出部側アーム
４ａ…アーム部
４ｂ…連結部
４ｃ…側壁部
５…収納部側アーム
５ａ…アーム部
５ｂ…連結部
５ｃ…側壁部
６…ピン
７…ケーブル
８…板バネ
９…ケーブルホルダ
【図１】
2008060246.tif 000003
【図２】
2008060246.tif 000004
【図３】
2008060246.tif 000005
【図４】
2008060246.tif 000006
【図５】
2008060246.tif 000007